(57)【要約】【課題】インバータの温度上昇を抑制することが可能な駆動制御装置を提供する。【解決手段】モータ・ジェネレータ２と、モータ・ジェネレータ２に供給する電力を制御するインバータ２２と、モータ・ジェネレータ２のロータ軸３に連結されたトルクコンバータ５とを備えた車両の駆動装置１に適用される駆動制御装置において、トルクコンバータ５にはロックアップクラッチ１２が設けられ、ロックアップクラッチ１２の係合部材１３が係合位置にあり、かつインバータ２２の温度が所定の判定温度以上になると推定した場合には、係合部材１３を解放位置に移動させてロックアップクラッチ１２を解放する。【選択図】図１
2011250590.tif 000002
【特許請求の範囲】
【請求項１】
駆動源として設けられた回転電機と、前記回転電機に供給する電力を制御するインバータと、前記回転電機の出力軸と連結された第１回転体及び前記車両の駆動輪に動力を出力するための出力部材と連結された第２回転体を有し、かつ前記第１回転体と前記第２回転体との間の動力伝達を流体を介して行うことが可能な流体継手と、を備えた車両の駆動装置に適用される駆動制御装置において、
前記流体継手には、前記第１回転体及び前記第２回転体のうちの一方の回転体と一体に回転するように設けられ、他方の回転体に接触して前記他方の回転体と連結される係合位置と前記他方の回転体から離れる解放位置との間で移動可能な係合部材と、前記係合部材を前記係合位置と前記解放位置との間で駆動する駆動手段と、を有するロックアップクラッチが設けられ、
前記インバータの温度が所定の判定温度以上になるか否か推定する温度異常推定手段と、前記係合部材が前記係合位置にあり、かつ前記温度異常推定手段が前記インバータの温度が前記判定温度以上になると推定した場合に、前記係合部材と前記他方の回転体との間の摩擦力が低減されるように前記駆動手段の動作を制御する制御手段と、を備えている駆動制御装置。
【請求項２】
前記温度異常推定手段は、前記車両の速度及び前記回転電機の出力トルクの少なくともいずれか一方に基づいて前記インバータの温度が前記判定温度以上になるか否か推定する請求項１に記載の駆動制御装置。
【請求項３】
前記温度異常推定手段は、前記車両の速度が所定の判定速度以下であり、かつ前記回転電機の出力トルクが所定の判定トルク以上である場合に前記インバータの温度が前記判定温度以上になると推定する請求項２に記載の駆動制御装置。
【請求項４】
前記ロックアップクラッチは、前記駆動手段として励磁された場合に前記係合部材を前記解放位置に駆動する電磁コイルが設けられた電磁式クラッチである請求項１〜３のいずれか一項に記載の駆動制御装置。
【請求項５】
前記流体継手は、トルクコンバータであり、
前記制御手段は、前記係合部材が前記係合位置にあり、かつ前記駆動装置に要求されている出力トルクが所定の増幅判定値以上の場合に、前記係合部材と前記他方の回転体との間の摩擦力が低減されるように前記駆動手段の動作を制御する請求項１〜４のいずれか一項に記載の駆動制御装置。
【請求項６】
前記駆動装置は、前記回転電機にて回転駆動されるオイルポンプをさらに備え、
前記回転電機は、前記オイルポンプから吐出されるオイルにて冷却され、
前記制御手段は、前記係合部材が前記係合位置にあり、かつ前記回転電機の温度が所定の冷却判定温度以上の場合に、前記係合部材と前記他方の回転体との間の摩擦力が低減されるように前記駆動手段の動作を制御する請求項１〜５のいずれか一項に記載の駆動制御装置。
【請求項７】
前記制御手段は、前記係合部材が前記係合位置にあり、かつ前記車両の速度が所定の判定時間の間継続して所定の低回転速度以下の場合に、前記係合部材と前記他方の回転体との間の摩擦力が低減されるように前記駆動手段の動作を制御する請求項６に記載の駆動制御装置。
【発明の詳細な説明】
【技術分野】
【０００１】
本発明は、インバータによって供給される電力が制御され、出力軸にロックアップクラッチを有する流体継手が連結された回転電機を備えた駆動装置に適用される駆動制御装置に関する。
【背景技術】
【０００２】
駆動源として内燃機関及びモータ・ジェネレータが搭載され、これら内燃機関及びモータ・ジェネレータの動力を変速機を介して駆動輪に伝達するハイブリッド車両が知られている。このような車両において、モータ・ジェネレータの温度が高いほどロックアップクラッチの締結度合いを弱め、これによりモータ・ジェネレータの回転数を高めてモータ・ジェネレータの発熱量を減らすものが知られている（特許文献１参照）。その他、本発明に関連する先行技術文献として特許文献２、３が存在する。
【先行技術文献】
【特許文献】
【０００３】
【特許文献１】特開２００４−０２８２７９号公報
【特許文献２】特開昭６２−２２１８０６号公報
【特許文献３】特開２０００−３０９２２６号公報
【発明の概要】
【発明が解決しようとする課題】
【０００４】
ハイブリッド車両等に搭載されているモータ・ジェネレータは、一般にインバータによって供給される電力が制御されている。また、インバータからモータ・ジェネレータには電力が三相交流で供給されている。周知のようにインバータは、三相交流のうちの一相に電流が集中するとスイッチング素子等の温度が過剰に上昇するおそれがある。モータ・ジェネレータとインバータとでは熱容量の差があり、モータ・ジェネレータでは異常が発生しない運転状態でもインバータで異常が発生するおそれがある。特許文献１の車両ではインバータの温度が考慮されていないため、単相に電流が集中してインバータの温度が過剰に上昇するおそれがある。
【０００５】
そこで、本発明は、インバータの温度上昇を抑制することが可能な駆動制御装置を提供することを目的とする。
【課題を解決するための手段】
【０００６】
本発明の駆動制御装置は、駆動源として設けられた回転電機と、前記回転電機に供給する電力を制御するインバータと、前記回転電機の出力軸と連結された第１回転体及び前記車両の駆動輪に動力を出力するための出力部材と連結された第２回転体を有し、かつ前記第１回転体と前記第２回転体との間の動力伝達を流体を介して行うことが可能な流体継手と、を備えた車両の駆動装置に適用される駆動制御装置において、前記流体継手には、前記第１回転体及び前記第２回転体のうちの一方の回転体と一体に回転するように設けられ、他方の回転体に接触して前記他方の回転体と連結される係合位置と前記他方の回転体から離れる解放位置との間で移動可能な係合部材と、前記係合部材を前記係合位置と前記解放位置との間で駆動する駆動手段と、を有するロックアップクラッチが設けられ、前記インバータの温度が所定の判定温度以上になるか否か推定する温度異常推定手段と、前記係合部材が前記係合位置にあり、かつ前記温度異常推定手段が前記インバータの温度が前記判定温度以上になると推定した場合に、前記係合部材と前記他方の回転体との間の摩擦力が低減されるように前記駆動手段の動作を制御する制御手段と、を備えている（請求項１）。
【０００７】
本発明の駆動制御装置によれば、インバータの温度が判定温度以上になると推定された場合には、係合部材と他方の回転体との間の摩擦力が低減されるので、回転電機の負荷を低減できるとともにインバータの負荷を低減できる。そのため、インバータの温度上昇を抑制することができる。
【０００８】
本発明の駆動制御装置の一形態において、前記温度異常推定手段は、前記車両の速度及び前記回転電機の出力トルクの少なくともいずれか一方に基づいて前記インバータの温度が前記判定温度以上になるか否か推定してもよい（請求項２）。この場合、インバータの温度を検出するためのセンサ等を設ける必要がない。そのため、コストを低減できる。
【０００９】
この形態において、前記温度異常推定手段は、前記車両の速度が所定の判定速度以下であり、かつ前記回転電機の出力トルクが所定の判定トルク以上である場合に前記インバータの温度が前記判定温度以上になると推定してもよい（請求項３）。車両が低速走行中であり、かつ回転電機の出力トルクが高い場合は、三相交流の回転電機やインバータにおいて所定の一相に電流が集中する。そのため、インバータの温度が判定温度以上になると推定できる。
【００１０】
本発明の駆動制御装置の一形態において、前記ロックアップクラッチは、前記駆動手段として励磁された場合に前記係合部材を前記解放位置に駆動する電磁コイルが設けられた電磁式クラッチであってもよい（請求項４）。この形態では、オイルポンプが停止している場合でも係合部材を解放位置に移動させてロックアップクラッチを解放することができる。
【００１１】
本発明の駆動制御装置の一形態において、前記流体継手は、トルクコンバータであり、前記制御手段は、前記係合部材が前記係合位置にあり、かつ前記駆動装置に要求されている出力トルクが所定の増幅判定値以上の場合に、前記係合部材と前記他方の回転体との間の摩擦力が低減されるように前記駆動手段の動作を制御してもよい（請求項５）。周知のようにトルクコンバータでは、第１回転体と第２回転体との間に回転差が生じると伝達されるトルクが内部を循環する流体によって増幅される。そのため、このようにロックアップクラッチを制御することにより、駆動装置の出力トルクを増加させ、駆動装置から出力される駆動力を増大できる。また、回転電機の動作点が高回転低トルク側に移動するので、回転電機におけるエネルギ損失及び発熱をそれぞれ低減できる。
【００１２】
本発明の駆動制御装置の一形態において、前記駆動装置は、前記回転電機にて回転駆動されるオイルポンプをさらに備え、前記回転電機は、前記オイルポンプから吐出されるオイルにて冷却され、前記制御手段は、前記係合部材が前記係合位置にあり、かつ前記回転電機の温度が所定の冷却判定温度以上の場合に、前記係合部材と前記他方の回転体との間の摩擦力が低減されるように前記駆動手段の動作を制御してもよい（請求項６）。このようにロックアップクラッチを制御することにより回転電機の回転数を上昇させることができるので、オイルポンプから吐出されるオイルの流量を増加させることができる。そのため、回転電機に供給されるオイルの流量を増加させ、回転電機の温度上昇を抑制できる。
【００１３】
この形態において、前記制御手段は、前記係合部材が前記係合位置にあり、かつ前記車両の速度が所定の判定時間の間継続して所定の低回転速度以下の場合に、前記係合部材と前記他方の回転体との間の摩擦力が低減されるように前記駆動手段の動作を制御してもよい（請求項７）。車両が低速で長時間運転されるとオイルポンプが長時間低回転で運転されることになるため、オイルポンプから吐出されるオイルの流量が少ない状態が長時間発生することになる。そこで、このような場合には係合部材と他方の回転体との間の摩擦力を低減させて回転電機の回転数を上昇させ、オイルポンプの回転数を強制的に上昇させる。これによりオイルポンプから吐出されるオイルの流量を増加させることができるので、オイルポンプからオイルが供給される供給対象に十分な量のオイルを供給できる。
【発明の効果】
【００１４】
以上に説明したように、本発明の駆動制御装置によれば、インバータの温度が判定温度以上になると推定された場合には係合部材と他方の回転体との間の摩擦力が低減されるので、インバータの負荷を低減できる。そのため、インバータの温度上昇を抑制できる。
【図面の簡単な説明】
【００１５】
【図１】本発明の一形態に係る駆動制御装置が組み込まれた駆動装置の全体構成を模式的に示す図。
【図２】駆動装置のオイル供給経路を模式的に示す図。
【図３】制御ユニットが実行するインバータ保護制御ルーチンを示すフローチャート。
【図４】制御ユニットが実行する出力トルク増加制御ルーチンを示すフローチャート。
【図５】制御ユニットが実行するＭＧ冷却制御ルーチンを示すフローチャート。
【図６】制御ユニットが実行するオイルポンプ制御ルーチンを示すフローチャート。
【発明を実施するための形態】
【００１６】
図１は、本発明の一形態に係る駆動制御装置が組み込まれた駆動装置の全体構成を模式的に示している。駆動装置１は回転電機としてのモータ・ジェネレータ２を駆動源として備えている。駆動装置１が車両に搭載されることにより、その車両は電気自動車として構成される。モータ・ジェネレータ２は三相交流で動作する電動機及び発電機として機能する周知のものであり、出力軸としてのロータ軸３と一体回転するロータ２ａと、ロータ２ａの外周に配置されてケース４に固定されたステータ２ｂとを備えている。
【００１７】
駆動装置１はモータ・ジェネレータ２の動力を流体継手としてのトルクコンバータ５及び変速機構６を介して車両の駆動輪７に伝達するように構成されている。トルクコンバータ５は、流体式の周知のトルクコンバータであり、第１回転体としての入力部８と、第２回転体としての出力部９とを備えている。入力部８は、モータ・ジェネレータ２のロータ軸３と連結されている。出力部９は変速機構６と連結されている。トルクコンバータ５の入力部８はワンウェイクラッチ１０にて回転方向が一方向に制限されているとともに、回転機械式のオイルポンプ１１に連結されている。これにより、オイルポンプ１１はモータ・ジェネレータ２にて駆動される。トルクコンバータ５の入力部８と出力部９との間にはロックアップクラッチ１２が設けられている。ロックアップクラッチ１２は、入力部８と接触して入力部８と連結される係合位置と、入力部８から離れる解放位置との間で移動可能であり、かつ出力部９と一体に回転する係合部材１３を備えている。また、ロックアップクラッチ１２は、係合部材１３を解放位置に付勢する不図示のリターンスプリングと、油圧が供給された場合に係合部材１３をリターンスプリングに抗して係合位置に駆動する不図示のアクチュエータとを備えている。これらにより係合部材１３が駆動されるので、リターンスプリング及びアクチュエータが本発明の駆動手段に相当する。この係合部材１３が係合位置に移動すると入力部８と出力部９とが連結されるためトルクコンバータ５の差回転が阻止される。すなわち、ロックアップクラッチ１２が接続される。一方、係合部材１３が解放位置に移動すると入力部８と出力部９との連結が解除されるので、トルクコンバータ５の差回転が許容される。すなわち、ロックアップクラッチ１２が解放される。なお、このように係合部材１３が設けられることにより、入力部８が本発明の他方の回転体に相当し、出力部９が本発明の一方の回転体に相当する。
【００１８】
変速機構６はトルクコンバータ５の出力部９に連結された出力部材としての入力軸１４と、これと平行に延びている出力軸１５と、これら入力軸１４及び出力軸１５間に設けられたギア列１６とを有している。ギア列１６は入力軸１４に固定された入力ギア１７と、入力ギア１７に噛み合うとともに出力軸１５に固定された中間ギア１８と、出力軸１５に固定された出力ギア１９とを備えている。出力ギア１９は左右の駆動輪７に連結された差動機構２０のケースに設けられたリングギア２１と噛み合っている。変速機構６はその変速比が入力軸１４に対して出力軸１５が減速されるように設定されている。
【００１９】
この図に示すようにモータ・ジェネレータ２は、インバータ２２を介してバッテリ２３と電気的に接続されている。インバータ２２は、複数のスイッチング素子を有し、モータ・ジェネレータ２に供給される電力を制御するための周知のものである。
【００２０】
上述したようにロックアップクラッチ１２のアクチュエータは油圧で動作する。図２は駆動装置１のオイル供給経路を模式的に示している。この図に示すように、オイルポンプ１１の駆動にて生成された油圧はアキュムレータ２４に蓄えられる。アキュムレータ２４は油圧制御を行うバルブボディ２５に接続されている。バルブボディ２５は、内部に複数の油路が形成されるとともに、これら油路の所定箇所に不図示の電磁弁が複数個設けられた周知のものである。バルブボディ２５は、各電磁弁が適宜操作されることにより、各油路に接続された制御対象への油圧の供給と停止とを切り替えるように構成されている。バルブボディ２５の特定の油路は制御対象であるトルクコンバータ５及びロックアップクラッチ１２のアクチュエータにそれぞれ接続されており、また他の油路は冷却対象であるモータ・ジェネレータ２や潤滑対象である駆動装置１の各部Ｘにそれぞれ接続されている。
【００２１】
バルブボディ２５に設けられた各制御弁に対する制御は、駆動装置１の制御を行うコンピュータとして構成された制御手段としての制御ユニット３０にて行われる。制御ユニット３０はバルブボディ２５に対する制御の他、駆動装置１を適正に動作させるためにモータ・ジェネレータ２やインバータ２２の動作制御等も行っている。制御ユニット３０には各種制御に使用するパラメータを取得するため各種センサからの信号が入力される。本発明に関連するセンサとしては、車両の速度に応じた信号を出力する車速センサ３１、アクセルの開度に応じた信号を出力するアクセル開度センサ３２、及びモータ・ジェネレータ２の温度に応じた信号を出力するＭＧ温度センサ３３が設けられている。これらの他にも制御ユニット３０には、バッテリ２３の充電状態に応じた信号を出力するセンサ等の種々のセンサが接続されているがそれらの図示は省略した。
【００２２】
図３は、制御ユニット３０がインバータ２２の温度が過度に上昇することを防止するために実行するインバータ保護制御ルーチンを示している。この制御ルーチンは、車両の走行中に所定の周期で繰り返し実行される。この制御ルーチンにおいて制御ユニット３０は、まずステップＳ１１で車両の走行状態を取得する。車両の走行状態としては、車速及びアクセル開度等が取得される。また、この処理ではモータ・ジェネレータ２の温度も取得される。次のステップＳ１２において制御ユニット３０は、ロックアップクラッチ１２の係合部材１３が係合位置か否か判定する。係合部材１３が解放位置と判定した場合は、今回の制御ルーチンを終了する。
【００２３】
一方、係合部材１３が係合位置と判定した場合はステップＳ１３に進み、制御ユニット３０はインバータ２２の温度が予め設定した判定温度以上になるインバータ２２の温度異常が発生するか否か推定する。なお、判定温度は、スイッチング素子の耐熱温度に基づいて適宜に設定される。車両が低速で運転され、かつモータ・ジェネレータ２に対して高い出力トルクが要求される場合、例えば坂を低速で登る場合等は、モータ・ジェネレータ２及びインバータ２２において三相交流のうちの一相に電流が集中する。このような状態が長時間継続するとインバータ２２内において電流が集中している一相のスイッチング素子の温度が過剰に上昇するおそれがある。そこで、制御ユニット３０は、車速が所定の判定速度以下であり、かつモータ・ジェネレータ２の出力トルクが所定の判定トルク以上である場合にインバータ２２の温度異常が発生すると推定する。なお、判定速度及び判定トルクは、インバータ２２のスイッチング素子の耐熱温度等に基づいて適宜に設定される。また、モータ・ジェネレータ２の出力トルクは、例えばインバータ２２からモータ・ジェネレータ２に供給されている電力に基づいて算出される。インバータ２２の温度異常が発生するか否か推定する方法は、この方法に限定されない。例えば、車速が所定の判定速度以下の場合、又はモータ・ジェネレータ２の出力トルクが所定の判定トルク以上の場合にインバータ２２の温度異常が発生すると推定してもよい。また、インバータ２２に温度センサを設け、その温度センサの出力信号に基づいてインバータ２２の温度異常が発生するか否か推定してもよい。この処理を実行することにより、制御ユニット３０が本発明の温度異常推定手段として機能する。
【００２４】
次のステップＳ１４において制御ユニット３０は、推定結果に基づいてインバータ２２の温度異常が発生するか否か判定する。温度異常が発生しないと判定した場合は今回の制御ルーチンを終了する。一方、温度異常が発生すると判定した場合はステップＳ１５に進み、制御ユニット３０はロックアップクラッチ解放制御を実行する。このロックアップクラッチ解放制御では、係合部材１３が解放位置に移動してロックアップクラッチ１２が解放されるようにバルブボディ２５が制御される。その後、今回の制御ルーチンを終了する。
【００２５】
本発明の駆動制御装置によれば、係合部材１３が係合位置であり、かつインバータ２２の温度異常が発生すると推定された場合には、ロックアップクラッチ１２が解放されるので、モータ・ジェネレータ２の負荷及びインバータ２２の負荷をそれぞれ低減できる。また、モータ・ジェネレータ２の回転数を上昇させることができる。これにより三相交流のうちの一相に電流が集中することを防止できるので、インバータ２２の温度が上昇することを抑制できる。また、このように温度上昇を抑制することにより、インバータ２２のスイッチイング素子に耐熱温度が低いものを使用したりインバータ２２を冷却するための冷却系を簡略化できるので、コストを低減できる。
【００２６】
制御ユニット３０は、図３の制御ルーチンの他にもロックアップクラッチ１２の動作を制御するために図４〜図６に示した制御ルーチンを実行する。これらの制御ルーチンも車両の走行中に所定の周期で繰り返し実行される。なお、図４〜図６において図３に示した制御ルーチンと同一の処理には同一の符号を付して説明を省略する。図３〜図６に示した制御ルーチンには予め優先順位が設定されており、制御ユニット３０はその優先順位に従ってこれらの制御ルーチンを実行する。
【００２７】
図４は、駆動装置１の出力トルクを増加させるために実行する出力トルク増加制御ルーチンを示している。この制御ルーチンにおいて制御ユニット３０は、ステップＳ１２まで図３の制御ルーチンと同様に処理を進める。ステップＳ１２において係合部材１３が係合位置であると判定した場合はステップＳ２１に進み、制御ユニット３０は駆動装置１に要求されている出力トルクが、所定の増幅判定値以上か否か判定する。周知のようにトルクコンバータ１２では、入力部８と出力部９との間に回転差が生じると伝達されるトルクが内部を循環するオイルによって増幅される。そこで、駆動装置１に対して高い出力トルクが要求されている場合にロックアップクラッチ１２を解放する。なお、駆動装置１に要求されている出力トルクは、アクセル開度に基づいて推定すればよい。また、増幅判定値は、モータ・ジェネレータ２から出力されたトルクを増幅させるか否か判定するために設定した判定値であり、モータ・ジェネレータ２の最大トルク等に応じて適宜に設定される。駆動装置１に要求されている出力トルクが増幅判定値未満と判定した場合は、今回の制御ルーチンを終了する。一方、駆動装置１に要求されている出力トルクが増幅判定値以上と判定した場合はステップＳ１５に進み、制御ユニット３０はロックアップクラッチ解放制御を実行する。その後、今回の制御ルーチンを終了する。
【００２８】
このようにロックアップクラッチ１２を制御することにより、駆動装置１の出力トルクを増加させることができるので、駆動装置１から出力される駆動力を増大できる。また、この場合はモータ・ジェネレータ２の動作点が高回転低トルク側に移動するので、モータ・ジェネレータ２におけるエネルギ損失及び発熱をそれぞれ低減できる。
【００２９】
図５は、モータ・ジェネレータ２の温度上昇を抑制するために実行するＭＧ冷却制御ルーチンを示している。この制御ルーチンにおいて制御ユニット３０は、ステップＳ１２まで図３の制御ルーチンと同様に処理を進める。ステップＳ１２において係合部材１３が係合位置であると判定した場合はステップＳ３１に進み、制御ユニット３０はモータ・ジェネレータ２の温度（ＭＧ温度）が予め設定した冷却判定温度以上か否か判定する。なお、冷却判定温度は、例えばモータ・ジェネレータ２の熱容量等に応じて適宜に設定すればよい。ＭＧ温度が冷却判定温度未満と判定した場合は今回の制御ルーチンを終了する。一方、ＭＧ温度が冷却判定温度以上と判定した場合はステップＳ１５に進み、制御ユニット３０はロックアップクラッチ解放制御を実行する。その後、今回の制御ルーチンを終了する。
【００３０】
上述したようにオイルポンプ１１はモータ・ジェネレータ２にて駆動される。そのため、このようにロックアップクラッチ１２を制御してモータ・ジェネレータ２の回転数を上昇させることによりモータ・ジェネレータ２に供給される冷却用のオイルの流量を増加させることができる。これによりモータ・ジェネレータ２の温度上昇を抑制できる。また、モータ・ジェネレータ２が高温のときの冷却性能を向上できる。
【００３１】
図６は、モータ・ジェネレータ２、トルクコンバータ５、及び駆動装置１の各部Ｘに供給されるオイルの流量を増加させるために実行するオイルポンプ制御ルーチンを示している。この制御ルーチンにおいて制御ユニット３０は、ステップＳ１２まで図３の制御ルーチンと同様に処理を進める。ステップＳ１２において係合部材１３が係合位置であると判定した場合はステップＳ４１に進み、制御ユニット３０はモータ・ジェネレータ２、トルクコンバータ５、及び駆動装置１の各部Ｘに供給されているオイルの流量を増加させるべきオイル増量条件が成立しているか否か判定する。上述したようにオイルポンプ１１はモータ・ジェネレータ２にて駆動されるので、車両が低速で長時間運転されるとオイルポンプ１１が低回転で長時間運転される。そのため、この期間はオイルポンプ１１から吐出されるオイルの量が少量になる。そこで、制御ユニット３０は、車両の速度が所定の判定時間の間継続して所定の低回転速度以下の場合にオイル増量条件が成立したと判定する。なお、判定時間及び低回転速度は、オイルポンプ１１の容量やアキュムレータ２４の容量等に応じてそれぞれ適宜に設定すればよい。オイル増量条件が不成立と判定した場合は、今回の制御ルーチンを終了する。一方、オイル増量条件が成立したと判定した場合はステップＳ１５に進み、制御ユニット３０はロックアップクラッチ解放制御を実行する。その後、今回の制御ルーチンを終了する。
【００３２】
このようにロックアップクラッチ１２を制御することにより、モータ・ジェネレータ２の回転数を上昇させて強制的にオイルポンプ１１の回転数を上昇させることができる。そのため、モータ・ジェネレータ２、トルクコンバータ５、及び駆動装置１の各部Ｘに供給されるオイルの流量を増加させることができる。そのため、駆動装置１の各部Ｘ等の焼付きを防止できる。
【００３３】
なお、本発明の駆動制御装置では、図４〜図６に示した制御ルーチンは実行しなくてもよいし、これらの制御ルーチンのうちのいずれか１つ、又は２つのみを実行してもよい。また、図３〜図６の各制御ルーチンのステップＳ１５で実行されるロックアップクラッチ解放制御の制御内容は、上述したものに限定されない。係合部材１３の位置を調整することにより係合部材１３と入力部８との間の摩擦力を調整可能なロックアップクラッチ１２の場合は、ロックアッククラッチ解放制御において係合部材１３と入力部８との間の摩擦力が係合位置のときよりも低減されるようにバルブボディ２５を制御してもよい。この場合もトルクコンバータ５の入力部８と出力部９との間の差回転が生じるので、モータ・ジェネレータ２の回転数を上昇させることができる。
【００３４】
本発明は、上述した形態に限定されることなく、種々の形態にて実施することができる。例えば、本発明が適用される駆動装置の流体継手はトルクコンバータに限定されず、出力トルクの増幅機能を有していないフルードカップリングであってもよい。駆動源として設けられる回転電機はモータ・ジェネレータに限定されず、電動機であってもよい。
【００３５】
上述した形態では、ロックアップクラッチにオイルを供給したり停止したりして係合部材の状態を切り替えたが、係合部材の位置を切り替える機構はこれに限定されない。例えば、係合部材を磁性材料製にするとともに係合部材が係合位置に付勢されるようにリターンスプリングを設け、励磁された場合に係合部材を解放位置に移動させる電磁コイルをロックアップクラッチに設けてもよい。すなわち、ロックアップクラッチは電磁式のクラッチでもよい。この場合、オイルポンプが停止していても係合部材を解放位置に動かしてロックアップクラッチを解放させることができる。
【符号の説明】
【００３６】
１  駆動装置
２  モータ・ジェネレータ（回転電機）
３  ロータ軸（出力軸）
５  トルクコンバータ（流体継手）
７  駆動輪
８  入力部（第１回転体、他方の回転体）
９  出力部（第２回転体、一方の回転体）
１１  オイルポンプ
１２  ロックアップクラッチ
１３  係合部材
１４  入力軸（出力部材）
２２  インバータ
３０  制御ユニット（制御手段、温度異常推定手段）
【図１】
2011250590.tif 000003
【図２】
2011250590.tif 000004
【図３】
2011250590.tif 000005
【図４】
2011250590.tif 000006
【図５】
2011250590.tif 000007
【図６】
2011250590.tif 000008